(57)【要約】【課題】  天板やステップベースが折り畳み収納でき、狭い場所へも容易に移動させることができるスタンディングテーブルを提供すること。【解決手段】  脚（１）と、脚（１）に立設される支柱（２）と、支柱（２）に支持される上フレーム（３）と、上フレーム（３）に取着されるグリップ（４）と、上フレーム（３）に載設される天板（５）と、支柱（２）に設けられる膝受けパッド（６）と、被訓練者が乗り脚（１）の前部に軸止されるステップベース（７）と、脚（１）に設けられる移動用の車輪（８）とからなり、ステップベース（７）は、水平位置の使用状態から垂直位置の収納状態に回動させることができ、更にステップベース（７）は転倒を防止する機能を有することを特徴とするスタンディングテーブルである。【選択図】      図１
2006109926.tif 000002
【特許請求の範囲】
【請求項１】
脚（１）と、脚（１）に立設される支柱（２）と、支柱（２）に支持される上フレーム（３）と、上フレーム（３）に取着されるグリップ（４）と、上フレーム（３）に載設される天板（５）と、支柱（２）に設けられる膝受けパッド（６）と、被訓練者が乗り脚（１）の前部に軸止されるステップベース（７）と、脚（１）に設けられる移動用の車輪（８）とからなり、
ステップベース（７）は、水平位置の使用状態から垂直位置の収納状態に回動させることができ、更にステップベース（７）は転倒を防止する機能を有することを特徴とするスタンディングテーブル。
【請求項２】
膝受けパッド（６）はそのパッド上部（６ａ）が支柱（２）に軸止され垂下状態に設けられ、該垂下状態の位置で、及びパッド下部（６ｂ）が支柱（２）から離間した傾斜位置で、固定可能であり、
ステップベース（７）の前端を上方向へ回動させ該ステップベース（７）を支柱（２）と膝受けパッド（６）の間に挟んで収納状態にできることを特徴とする請求項１記載のスタンディングテーブル。
【請求項３】
グリップ（４）は上フレーム（３）の正面左右（１０ａ）（１０ｂ）に前方に突出して螺着され、又は、左右側面前部（１１ａ）（１１ｂ）に側方に突出して螺着されることを特徴とする請求項１記載のスタンディングテーブル。
【請求項４】
上フレーム（３）は、垂直面方向に回動可能に支柱（２）の頂部に載設され、車輪（８）は脚（１）の後部に床面（１２）より僅か離れて複数個設けられ、スタンディングテーブル（１３）を後傾させると車輪（８）は床面（１２）に当接し転動可能となり、
スタンディングテーブル（１３）の移動の際は、上フレーム（３）を回動させて垂直に位置させ、スタンディングテーブル（１３）の上部位置に至ったグリップ（４）を移動用取っ手として用い、スタンディングテーブル（１３）を後傾させ押して移動させることを特徴とする請求項１記載のスタンディングテーブル。
【発明の詳細な説明】
【技術分野】
【０００１】
本発明は、ベッドサイドで、身体障害者や養介護護老人等の立位保持訓練を行なうスタンディングテーブルに関する。
【背景技術】
【０００２】
従来装置は、人体保持ベルトを取り付けるベルト掛けが天板に設けられるので、天板の昇降作動の都度ベルト掛けを修正しなくてよく、操作が簡便であるという効果がある。
しかし、従来装置は、スタンディングテーブルのベース部分の構成が大きく、又、天板及びベース部分を折り畳みできないから、スタンディングテーブルをベッドサイド等の狭い場所へ移動させるのが困難である。
【特許文献１】特開平１１−２４４３４４号公報
【発明の開示】
【発明が解決しようとする課題】
【０００３】
解決しようとする課題は、スタンディングテーブルは折り畳みができず嵩が大きいため、ベッドサイド等の狭い場所へ移動するのが困難であるという点である。
【課題を解決するための手段】
【０００４】
本発明の目的は、天板やステップベースが折り畳み収納でき、狭い場所へも容易に移動させることができるスタンディングテーブルを提供することにある。
即ち、本発明は、脚（１）と、脚（１）に立設される支柱（２）と、支柱（２）に支持される上フレーム（３）と、上フレーム（３）に取着されるグリップ（４）と、上フレーム（３）に載設される天板（５）と、支柱（２）に設けられる膝受けパッド（６）と、被訓練者が乗り脚（１）の前部に軸止されるステップベース（７）と、脚（１）に設けられる移動用の車輪（８）とからなり、ステップベース（７）は、水平位置の使用状態から垂直位置の収納状態に回動させることができ、更にステップベース（７）は転倒を防止する機能を有することを特徴とするスタンディングテーブルである。
又、膝受けパッド（６）はそのパッド上部（６ａ）が支柱（２）に軸止され垂下状態に設けられ、該垂下状態の位置で、及びパッド下部（６ｂ）が支柱（２）から離間した傾斜位置で、固定可能であり、ステップベース（７）の前端を上方向へ回動させ該ステップベース（７）を支柱（２）と膝受けパッド（６）の間に挟んで収納状態にできる。
更に、グリップ（４）は上フレーム（３）の正面左右（１０ａ）（１０ｂ）に前方に突出して螺着され、又は、左右側面前部（１１ａ）（１１ｂ）に側方に突出して螺着される。
又更に、上フレーム（３）は、垂直面方向に回動可能に支柱（２）の頂部に載設され、車輪（８）は脚（１）の後部に床面（１２）より僅か離れて複数個設けられ、スタンディングテーブル（１３）を後傾させると車輪（８）は床面（１２）に当接し転動可能となり、スタンディングテーブル（１３）の移動の際は、上フレーム（３）を回動させて垂直に位置させ、スタンディングテーブル（１３）の上部位置に至ったグリップ（４）を移動用取っ手として用い、スタンディングテーブル（１３）を後傾させ押して移動させる。
【発明の効果】
【０００５】
本発明に係るステップベース７は、水平位置の使用状態から垂直位置の収納状態に回動させることができるから、スタンディングテーブル１３の下部の嵩張りを縮小でき、省スペース化が図れる。スタンディングテーブル１３の幅を狭くできたので療養室のベッド間の狭い場所へでもスタンディングテーブル１３を容易に移動でき、好都合である。
【０００６】
又、訓練時に被訓練者はステップベース７に乗るので、被訓練者の重量が掛かったステップベース７はスタンディングテーブル１３の転倒を防止する機能を発揮し、スタンディングテーブル１３は転倒せず安全であり、好都合である。
【０００７】
本発明に係るステップベース７を回動させ支柱２と膝受けパッド６の間に挟んで収納状態にできるから、ステップベース７を移動の際に障害にならない内部位置に十分に収納でき、収納状態にすれば狭い通路でも容易に移動でき、好都合である。
【０００８】
本発明に係るグリップ４は上フレーム３正面左右１０ａ、１０ｂに前方に突出して螺着され、又は、左右側面前部１１ａ、１１ｂに側方に突出して螺着されるものであるから、前記した前方または側方の二種位置の中から被訓練者にとって好適な方を選択してグリップ４を取着でき、被訓練者にとってはグリップ４を掴み易く、訓練がし易くなり、好都合である。
【０００９】
本発明に係るスタンディングテーブル１３の移動の際は、上フレーム３を垂直に位置させ、スタンディングテーブル１３の上部位置に至ったグリップ４を移動用取っ手として用い、スタンディングテーブル１３を後傾させて押し、車輪８を床面１２に転動させて行なうものであるから、スタンディングテーブル１３を移動させる時、グリップ４及び車輪８がスタンディングテーブル１３の後部にあるため掴み操作、後傾操作及び移動操作を行ない易く、操作上便利であり、又、スタンディングテーブル１３に移動の為の取っ手を設けなくて済み、移動の為の取っ手を削減した分製造コストを低減でき、好都合である。
【発明を実施するための最良の形態】
【００１０】
被訓練者は、本発明のスタンディングテーブル１３を用いて、立位を維持する訓練を行なう。
【００１１】
スタンディングテーブル１３は、脚１と、脚１に立設される支柱２と、支柱２に支持される上フレーム３と、上フレーム３に取着されるグリップ４と、上フレーム３に載設される天板５と、支柱２に設けられる膝受けパッド６と、脚１の前部に軸止されるステップベース７と、脚１に設けられる移動用の車輪８とからなり、前記ステップベース７は、水平位置の使用状態から垂直位置の収納状態に回動させ、折り畳み収納できる。
【００１２】
更に、使用中はステップベース７に、被訓練者が乗るので当該被訓練者の重量が掛かることにより、該ステップベース７はスタンディングテーブル１３の転倒を防止する機能を有する。
回動可能に支柱２に載設された天板５及び上フレーム３は、垂直面方向に回動させて収納形態にできる。
【００１３】
車輪８は脚１の後部に複数個床面１２より僅か離れて設けられ、スタンディングテーブル１３が後傾すると車輪８は床面１２に当接する。
スタンディングテーブル１３を移動させる際は、上フレーム３を垂直に位置させ、スタンディングテーブル１３の上部位置に至ったグリップ４を移動用取っ手として用い、スタンディングテーブル１３を後傾させて押し、車輪８を床面１２に転動させて行なう。
上記構成作用をもって、狭い場所へ容易に移動できるスタンディングテーブル１３を実現できた。
【実施例１】
【００１４】
図１〜７に本発明の実施例１を示す。
図１はスタンディングテーブル１３の左側面図、図２は天板５及び上フレーム３を垂直位置に回動させた左側面図、図３は平面図、図４は背面図、図５は斜視図、図６は支柱２と傾斜位置の膝受けパッド６の間にステップベース７を位置させた部分斜視図、図７はスタンディングテーブル１３の移動形態を示す図である。
被訓練者は実施例１のスタンディングテーブル１３を用いて立位を維持する訓練を行なう。
【００１５】
実施例１は、脚１と、脚１に立設される支柱２と、支柱２に支持される上フレーム３と、上フレーム３に取着されるグリップ４と、上フレーム３に載設される天板５と、上フレーム３に垂下取着される身体固定具３６と、支柱２に設けられる膝受けパッド６と、脚１の前部に軸止されるステップベース７と、脚１の後部に設けられる移動用の車輪８とからなる。
【００１６】
脚１は、左右に延びる中央枠１ａと、中央枠１ａに両端に取着され前後に延びる左右枠１ｂ・１ｃとからなる。中央枠１ａで支柱２を支える。左枠１ｂの前部にはロックピン２６を進退させるロックノブ１５が設けられる。
【００１７】
車輪８は左右枠１ｂ・１ｃの各後部に、床面１２より上方に僅か離れた位置（具体例では１センチ離れた位置）に取着される。スタンディングテーブル１３を後傾させると車輪８は床面１２に当接する。
【００１８】
ステップベース７は左右枠１ｂ・１ｃにベース回動軸１４で軸支される。ステップベース７の左側壁７ａにはロックピン２６が差し込まれるロック穴２７が開けられている。
ステップベース７は、水平位置の使用状態から垂直位置の収納状態に回動させることができ、更に、ステップベース７はスタンディングテーブル１３の転倒を防止する機能を有する。
【００１９】
支柱２は、中央枠１ａに載設される外筒２８と、外筒２８内に摺動可能に内嵌される内筒２９と、内筒２９内に設けられ内筒２９を上方に付勢するガススプリング３０と、ガススプリング３０の固定を解除する解除ペダル１９とからなる。
外筒２８の正面壁には、膝受けパッド６と、ステップベース７を受け止めるベース受け３１と、膝受けパッド６のパッドロックレバー１８を掛止するパッド掛止片３２とが設けられる。
【００２０】
上フレーム３は、内筒２９に載設される固定フレーム部３ｂと、固定フレーム部３ｂに載設される回動フレーム部３ａと、固定フレーム部３ｂの後端にあって回動フレーム部３ａを固定フレーム部３ｂに軸支するフレーム軸９とからなる。
更に、回動フレーム部３ａをその回動端で錠止する折畳ロックレバー２１が回動フレーム部３ａにレバー軸４０で軸支される。
【００２１】
折畳ロックレバー２１にはその長手方向にスライド溝２２が開けられ、スライド溝２２の先端には溝幅より大径の掛止穴２４が開設される。
一方、折畳ロックレバー２１のスライド溝２２に貫通するスライド軸２３が固定フレーム部３ｂに取着される。スライド軸２３には太部（図示省略）と細部（図示省略）が形成される。
【００２２】
スライド溝２２は前記細部に嵌ってスライドしている。回動フレーム部３ａの遊端部を上方に回動し、回動フレーム部３ａが起立位置に至った時、スライド軸２３に設けられた適宜なバネ（図示省略）力により、スライド溝２２の端に形成された前記掛止穴２４が前記太部に外嵌する。
【００２３】
掛止穴２４が前記太部に嵌ると折畳ロックレバー２１はスライド軸２３に対して移動不自在となり、回動フレーム部３ａは起立位置にロックされる。
折畳ロックレバー２１を前記バネに抗して手動で外側方へ動かせば掛止穴２４は前記太部から外れ、折畳ロックレバー２１はスライド軸２３に対して移動自在となり、回動フレーム部３ａは水平方向へ回動できる。
【００２４】
又、水平位置にある回動フレーム部３ａを固定フレーム部３ｂにロックする天板ロックレバー２０が回動フレーム部３ａに設けられ、前記天板ロックレバー２０を掛止する天板掛止片３３が固定フレーム部３ｂに設けられる。
【００２５】
回動フレーム部３ａの正面左右１０ａ、１０ｂに、グリップ４を螺着する雌ネジ３４が形成され、又、回動フレーム部３ａの左右側面前部１１ａ、１１ｂにも、グリップ４を螺着する雌ネジ３４が形成される。
【００２６】
天板５は水平位置にある平板でなり、天板５の正面壁は被訓練者の胴部が僅か進入できる窪み３５が形成される。
【００２７】
グリップ４は被訓練者が掴むものであり、該グリップ４は通常は正面左右１０ａ、１０ｂに螺着されるが、必要に応じて、回動フレーム部３ａの左右側面前部１１ａ、１１ｂに付け替えて螺着される。水平位置にある上フレーム３が回動して垂直位置に変更されると、グリップ４は、スタンディングテーブル１３の上部位置に至り該スタンディングテーブル１３の移動用取っ手として使用できる。
【００２８】
身体固定具３６には、被訓練者の臀部をスタンディングテーブル１３に固定する臀部固定ベルト１７と、被訓練者の腰部をスタンディングテーブル１３に固定する腰部固定ベルト１６と、臀部固定ベルト１７及び腰部固定ベルト１６を保持し上フレーム３から垂下取着されるベルトフレーム３７とからなる。
【００２９】
膝受けパッド６は、被訓練者の膝を受けるパッド本体３８と、パッド本体３８を保持するパッドフレーム３９と、パッドフレーム３９を前記外筒２８に軸止するパッド軸２５と、膝受けパッド６を固定する前記パッドロックレバー１８とからなる。前記パッドロックレバー１８はパッドフレーム３９にスタンディングテーブル１３後方に向けて突設される。
【００３０】
パッドロックレバー１８の先部に握り部１８ａが形成され、該パッドロックレバー１８の中部は前記パッド掛止片３２の上掛止部３２ａ又は下掛止部３２ｂに掛け止められる。
【００３１】
介護者はスタンディングテーブル１３を収納形態にしてベッドサイドへ移動する。使用に際してはスタンディングテーブル１３を使用形態に設定変更する。
グリップ４は正面左右１０ａ、１０ｂに取着している。
折畳ロックレバー２１を外方に動かしスライド軸２３の前記太部から掛止穴２１を外し、折畳ロックレバー２１のロック機能を解除し、天板５を水平にする。
【００３２】
解除ペダル１９を踏み、支柱２を伸長させ天板５を適宜な高さにする。腰臀部固定ベルト１６、１７の面状ファスナー（図示省略）を剥がし、腰臀部固定ベルト１６、１７を解く。
【００３３】
パッドロックレバー１８を側方（支柱２から離れる方向）へ移動させ上部掛止部３２ａから外し、次にパッドロックレバー１８を機器の前方へ向けて押し膝受けパッド６を傾斜位置に移動させ、続いてパッドロックレバー１８を機器の中心方向（支柱２に近づく方向）へ移動させ、パッド掛止具３２の下部の下掛止部３２ｂに掛止する。当該掛止により膝受けパッド６を傾斜位置に暫時保持する。
【００３４】
次に、ロックノブ１５を引いておいて、略垂直状態にあるステップベース７を持って水平位置へ戻す。次に、ロックノブ１５を放すと、ロックノブ１５に設けたベースバネ（図示省略）の付勢力でロックピン２６がロック穴２７に嵌り、ステップベース７を左枠１ｂにロックする。パッドロックレバー１８を下掛止部３２ｂから外し、膝受けパッド６を傾斜位置から垂直位置へ戻し、パッドロックレバー１８を上掛止部３２ａへ掛け、膝受けパッド６を垂直位置に固定する。
【００３５】
上述の設定を行なった後、被訓練者はステップベース７に上がりグリップ４を掴んでスタンディングテーブル１３の正面に立つ。介助者は、臀部固定ベルト１７で被訓練者の臀部を括り、腰部固定ベルト17で被訓練者の腰部を括る。被訓練者は所定の時間立位を維持し、その間天板５上で適宜な手作業をする。
【００３６】
所定の時間が経過すると立位保持訓練を終了する。介助者は身体固定具３６を外し、被訓練者はグリップ４を放しステップベース７から降りる。
【００３７】
スタンディングテーブル１３を他のベッドの側部へ持って行く時は、スタンディングテーブル１３を再度収納状態に折畳み、外形寸法を縮小させる。即ち、解除ペダル１９を踏み、支柱２を収縮させ、天板ロックレバー２０を解除操作し、天板５2を垂直位置に回動させ、折畳ロックレバー２１で固定する。
【００３８】
パッドロックレバー１８を解除操作し、膝受けパッド６を傾斜位置にし、その傾斜位置にパッドロックレバー１８で掛止する。その状態下に、ロックノブ１５を引き、ステップベース７のロックを解除し、該ステップベース７の前端を持って、持ち上げ支柱２のベース受け３１に当接させる。パッドロックレバー１８を再度解除操作し、膝受けパッド６を垂下位置に戻しステップベース７を膝受けパッド６で押さえ、ステップベース７を収納状態にして固定する。
【００３９】
介護者は、上記収納作業をした後、スタンディングテーブル１３の後方位置から、グリップ４を掴み、スタンディングテーブル１３を後傾させ、車輪８を床面１２に当接させ、スタンディングテーブル１３を後傾状態で押し動かし次のベッドサイドへ移動する。
【００４０】
次のベッドサイドで、スタンディングテーブル１３を、再度使用状態にセッティングする。即ち、ステップベース７を水平位置に戻し、天板５を水平位置に戻し、支柱２を適宜伸長させ、天板５を適宜高に設定し、しかる後に、次の被訓練者に適用する。
【産業上の利用可能性】
【００４１】
ステップベース７は水平位置の使用状態から垂直位置の収納状態に回動させることができ更にステップベース７は転倒を防止する機能を有するスタンディングテーブル１３に適用できる。更に、移動の際は、上フレーム３を垂直に位置させ機器の上部位置に至ったグリップ４を移動用取っ手として用い、機器を後傾させて押し車輪８を床面１２に転動させて移動するスタンディングテーブル１３に適用できる。
【図面の簡単な説明】
【００４２】
【図１】本発明の実施例１の左側面図である。
【図２】本発明の実施例１の天板及び上フレームを垂直位置に回動させた左側面図である。
【図３】本発明の実施例１の平面図である。
【図４】本発明の実施例１の背面図である。
【図５】本発明の実施例１の斜視図である。
【図６】本発明の実施例１の傾斜位置の膝受けパッド、及び垂直位置にあるステップベースを示す部分斜視図である。
【図７】本発明の実施例１のスタンディングテーブルの移動形態を示す図である。
【符号の説明】
【００４３】
１  脚
２  支柱
３  上フレーム
４  グリップ
５  天板
６  膝受けパッド
６ａパッド上部
６ｂパッド下部
７  ステップベース
８  車輪
１０ａ正面左
１０ｂ正面右
１１ａ左側面前部
１１ｂ右側面前部
１２  床面
１３  スタンディングテーブル
【図１】
2006109926.tif 000003
【図２】
2006109926.tif 000004
【図３】
2006109926.tif 000005
【図４】
2006109926.tif 000006
【図５】
2006109926.tif 000007
【図６】
2006109926.tif 000008
【図７】
2006109926.tif 000009